【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記複数のリールを回転開始させるためのリール回転開始操作を受け付ける回転開始操作手段及び前記複数のリールの各々を回転停止させるためのリール回転停止操作を受け付ける複数の回転停止操作手段と、
所定の役決定開始条件が充足されたことを契機として、予め設定された役決定確率に基づき複数の役決定結果の中から少なくとも１つの役決定結果を選出する役決定手段と、
前記回転開始操作手段が受け付けた前記リール回転開始操作または前記複数の回転停止操作手段が受け付けた前記リール回転停止操作と前記役決定手段により選出された役決定結果とに基づき前記複数のリールの駆動を制御するリール制御手段と、
所定の設定変更指令操作に基づき前記役決定確率の設定を変更する設定変更手段と、
所定の遊技状態変更条件が充足されたことを契機として、複数の遊技状態の間で遊技状態を移行させる遊技状態制御手段と、
演出を実行する演出実行手段及び演出の実行を制御する演出制御手段と、を備え、
前記遊技状態として、少なくとも通常遊技状態と、特定の役決定結果の役決定確率が通常遊技状態よりも高く設定される特定遊技状態とを含み、
前記特定遊技状態において前記設定変更手段により前記役決定確率が設定変更された際には、前記遊技状態制御手段は前記特定遊技状態を保持するように構成されたスロットマシンであって、
前記リール制御手段は、前記役決定手段により前記特定の役決定結果が選出された際に、前記複数の回転停止操作手段が受け付けた前記リール回転停止操作の態様が特定の態様であることにより、特定の図柄組合せを停止表示可能に制御し、
前記演出制御手段は、所定のアシスト演出開始条件が充足された場合には、所定の終了条件を満たすまで、遊技者にとって有利となる情報を報知するアシスト演出を前記演出実行手段により実行するように構成され、
前記演出制御手段は、前記特定の役決定結果が前記役決定手段により選出されるという特定の状態の発生を契機として遊技者に対する特典付与の選択を行う特典付与選択手段を備え、
前記特典付与選択手段は、所定のアシスト演出開始条件が充足されてから所定の終了条件を満たすまでの期間において、前記特定の状態が発生した場合は遊技者に前記特典を付与可能とし、前記設定変更手段により前記役決定確率が設定変更された際には所定のアシスト演出開始条件を充足するまで、前記特定の状態が発生した場合であっても遊技者に前記特典を付与しないように構成されている、ことを特徴とするスロットマシン。
【請求項２】
複数種類の図柄を可変表示する複数のリールと、
前記複数のリールを回転開始させるためのリール回転開始操作を受け付ける回転開始操作手段及び前記複数のリールの各々を回転停止させるためのリール回転停止操作を受け付ける複数の回転停止操作手段と、
所定の役決定開始条件が充足されたことを契機として、予め設定された役決定確率に基づき複数の役決定結果の中から少なくとも１つの役決定結果を選出する役決定手段と、
前記回転開始操作手段が受け付けた前記リール回転開始操作または前記複数の回転停止操作手段が受け付けた前記リール回転停止操作と前記役決定手段により選出された役決定結果とに基づき前記複数のリールの駆動を制御するリール制御手段と、
所定の設定変更指令操作に基づき前記役決定確率の設定を変更する設定変更手段と、
所定の遊技状態変更条件が充足されたことを契機として、複数の遊技状態の間で遊技状態を移行させる遊技状態制御手段と、
演出を実行する演出実行手段及び演出の実行を制御する演出制御手段と、を備え、
前記遊技状態として、少なくとも通常遊技状態と、特定の役決定結果の役決定確率が通常遊技状態よりも高く設定される特定遊技状態とを含み、
前記特定遊技状態において前記設定変更手段により前記役決定確率が設定変更された際には、前記遊技状態制御手段は前記特定遊技状態を保持するように構成されたスロットマシンであって、
前記リール制御手段は、前記役決定手段により前記特定の役決定結果が選出された際に、前記複数の回転停止操作手段が受け付けた前記リール回転停止操作の態様が特定の態様であることにより、特定の図柄組合せを停止表示可能に制御し、
前記演出制御手段は、所定のアシスト演出開始条件が充足された場合には、所定の終了条件を満たすまで、遊技者にとって有利となる情報を報知するアシスト演出を前記演出実行手段により実行するように構成され、
前記演出制御手段は、前記特定の図柄組合せが前記複数のリール上において停止表示されるという特定の状態の発生を契機として遊技者に対する特典付与の選択を行う特典付与選択手段を備え、
前記特典付与選択手段は、所定のアシスト演出開始条件が充足されてから所定の終了条件を満たすまでの期間において、前記特定の状態が発生した場合は遊技者に前記特典を付与可能とし、前記設定変更手段により前記役決定確率が設定変更された際には所定のアシスト演出開始条件を充足するまで、前記特定の状態が発生した場合であっても遊技者に前記特典を付与しないように構成されている、ことを特徴とするスロットマシン。
【手続補正２】
【補正対象書類名】明細書
【補正対象項目名】００１８
【補正方法】変更
【補正の内容】
【００１８】
上記目的を達成するため下記のスロットマシンは、以下の特徴を備えている。なお、以下の特徴構成の説明では、後述する実施形態において対応する構成の一例を括弧書きで示している。
【手続補正３】
【補正対象書類名】明細書
【補正対象項目名】００１９
【補正方法】変更
【補正の内容】
【００１９】
本発明に係るスロットマシンは、複数種類の図柄を可変表示する複数のリールと、複数のリールを回転開始させるためのリール回転開始操作を受け付ける回転開始操作手段（例えば、スタートレバー２５）及び複数のリールの各々を回転停止させるためのリール回転停止操作を受け付ける複数の回転停止操作手段（例えば、ストップスイッチ２６ａ，２６ｂ，２６ｃ）と、所定の役決定開始条件が充足されたこと（例えば、スタートレバー２５の傾動操作が有効に受け付けられたこと）を契機として、予め設定された役決定確率に基づき複数の役決定結果（例えば、役決定結果Ａ１〜Ａ３８）の中から少なくとも１つの役決定結果を選出する役決定手段と、回転開始操作手段が受け付けたリール回転開始操作または複数の回転停止操作手段が受け付けたリール回転停止操作と役決定手段により選出された役決定結果とに基づき複数のリールの駆動を制御するリール制御手段と、所定の設定変更指令操作（例えば、設定変更スイッチ８４の操作）に基づき役決定確率の設定を変更する設定変更手段と、所定の遊技状態変更条件が充足されたことを契機として、複数の遊技状態の間で遊技状態を移行させる遊技状態制御手段と、演出を実行する演出実行手段（例えば、画像表示装置１１等）及び演出の実行を制御する演出制御手段（例えば、演出実行制御手段１１２）と、を備え、前記遊技状態として、少なくとも通常遊技状態と、特定の役決定結果（例えば、役決定結果Ａ３１〜Ａ３３）の役決定確率が通常遊技状態よりも高く設定される特定遊技状態（例えば、ＲＴ２遊技状態）とを含み、前記特定遊技状態において設定変更手段により役決定確率が設定変更された際には、遊技状態制御手段は前記特定遊技状態を保持するように構成されたスロットマシンであって、リール制御手段は、役決定手段により前記特定の役決定結果が選出された際に、複数の回転停止操作手段が受け付けたリール回転停止操作の態様が特定の態様であることにより、特定の図柄組合せ（例えば、「チェリー・リプレイＡ／Ｂ・リプレイＡ／Ｂ」）を停止表示可能に制御し、演出制御手段は、所定のアシスト演出開始条件が充足された場合には、所定の終了条件を満たすまで、遊技者にとって有利となる情報を報知するアシスト演出を演出実行手段により実行するように構成され、演出制御手段は、前記特定の役決定結果が役決定手段により選出されるという特定の状態の発生を契機として遊技者に対する特典付与の選択を行う特典付与選択手段を備え、特典付与選択手段は、所定のアシスト演出開始条件が充足されてから所定の終了条件を満たすまでの期間において、前記特定の状態が発生した場合は遊技者に特典を付与可能とし、設定変更手段により役決定確率が設定変更された際には所定のアシスト演出開始条件を充足するまで、前記特定の状態が発生した場合であっても遊技者に特典を付与しないように構成されている、ことを特徴とする。
本発明に係る他のスロットマシンは、複数種類の図柄を可変表示する複数のリールと、複数のリールを回転開始させるためのリール回転開始操作を受け付ける回転開始操作手段（例えば、スタートレバー２５）及び複数のリールの各々を回転停止させるためのリール回転停止操作を受け付ける複数の回転停止操作手段（例えば、ストップスイッチ２６ａ，２６ｂ，２６ｃ）と、所定の役決定開始条件が充足されたこと（例えば、スタートレバー２５の傾動操作が有効に受け付けられたこと）を契機として、予め設定された役決定確率に基づき複数の役決定結果（例えば、役決定結果Ａ１〜Ａ３８）の中から少なくとも１つの役決定結果を選出する役決定手段と、回転開始操作手段が受け付けたリール回転開始操作または複数の回転停止操作手段が受け付けたリール回転停止操作と役決定手段により選出された役決定結果とに基づき複数のリールの駆動を制御するリール制御手段と、所定の設定変更指令操作（例えば、設定変更スイッチ８４の操作）に基づき役決定確率の設定を変更する設定変更手段と、所定の遊技状態変更条件が充足されたことを契機として、複数の遊技状態の間で遊技状態を移行させる遊技状態制御手段と、演出を実行する演出実行手段（例えば、画像表示装置１１等）及び演出の実行を制御する演出制御手段（例えば、演出実行制御手段１１２）と、を備え、前記遊技状態として、少なくとも通常遊技状態と、特定の役決定結果（例えば、役決定結果Ａ３１〜Ａ３３）の役決定確率が通常遊技状態よりも高く設定される特定遊技状態（例えば、ＲＴ２遊技状態）とを含み、前記特定遊技状態において設定変更手段により役決定確率が設定変更された際には、遊技状態制御手段は前記特定遊技状態を保持するように構成されたスロットマシンであって、リール制御手段は、役決定手段により前記特定の役決定結果が選出された際に、複数の回転停止操作手段が受け付けたリール回転停止操作の態様が特定の態様であることにより、特定の図柄組合せ（例えば、「チェリー・リプレイＡ／Ｂ・リプレイＡ／Ｂ」）を停止表示可能に制御し、演出制御手段は、所定のアシスト演出開始条件が充足された場合には、所定の終了条件を満たすまで、遊技者にとって有利となる情報を報知するアシスト演出を演出実行手段により実行するように構成され、演出制御手段は、前記特定の図柄組合せが前記複数のリール上において停止表示されるという特定の状態の発生を契機として遊技者に対する特典付与の選択を行う特典付与選択手段を備え、特典付与選択手段は、所定のアシスト演出開始条件が充足されてから所定の終了条件を満たすまでの期間において、前記特定の状態が発生した場合は遊技者に特典を付与可能とし、設定変更手段により役決定確率が設定変更された際には所定のアシスト演出開始条件を充足するまで、前記特定の状態が発生した場合であっても遊技者に特典を付与しないように構成されている、ことを特徴とする。
参考のスロットマシンは、複数種類の図柄を可変表示する複数のリールと、複数のリールを回転開始させるためのリール回転開始操作（例えば、スタートレバー２５の傾動操作）及び複数のリールの各々を回転停止させるためのリール回転停止操作（例えば、ストップスイッチ２６ａ，２６ｂ，２６ｃの押圧操作）を順次受け付ける操作手段と、所定の役決定開始条件が充足されたこと（例えば、スタートレバー２５の傾動操作が有効に受け付けられたこと）を契機として、予め設定された役決定確率に基づき複数の役決定結果（例えば、役決定結果Ａ１〜Ａ３８）の中から少なくとも１つの役決定結果を選出する役決定手段と、操作手段が受け付けたリール回転開始操作及びリール回転停止操作と前記役決定手段により選出された役決定結果とに基づき複数のリールの駆動を制御するリール制御手段と、所定の設定変更指令操作（例えば、設定変更スイッチ８４の操作）に基づき役決定確率の設定を変更する設定変更手段と、所定の遊技状態変更条件が充足されたことを契機として、複数の遊技状態の間で遊技状態を移行させる遊技状態制御手段と、遊技状態制御手段により設定された遊技状態に基づいて演出を実行する演出実行手段（例えば、演出実行制御手段１１２、画像表示装置１１等）と、を備え、複数の遊技状態のうち、特定種類の遊技役（例えば、再遊技役）の役決定確率が通常遊技状態よりも高く設定された特定遊技状態（例えば、ＲＴ２遊技状態）においては、特有の遊技結果が発生し得るように構成され、役決定確率が設定変更された際には、遊技状態制御手段は、設定変更前の遊技状態に応じて設定変更後に復帰する遊技状態（例えば、設定変更前の遊技状態と同じ遊技状態）を決定し、演出実行手段は、設定変更後に復帰した遊技状態に応じて設定変更後は所定の遊技状態（例えば、通常遊技状態）に基づく演出（例えば、非ＡＲＴ演出）を実行するように構成されたスロットマシンであって、設定変更後に特定遊技状態に復帰しかつ通常遊技状態には移行していない第１の復帰状態継続期間において、前記特有の遊技結果が発生する可能性が生じた場合には、該特有の遊技結果の発生を回避するための回避報知演出が演出実行手段により行われるように構成されている、ことを特徴とする。
【手続補正４】
【補正対象書類名】明細書
【補正対象項目名】００２２
【補正方法】変更
【補正の内容】
【００２２】
上記スロットマシンにおいて、前記特有の遊技結果とは、役決定手段により特有の役決定結果（例えば、役決定結果Ａ３１〜Ａ３３）が選出され、かつ該特有の役決定結果が選出された際に、操作手段が受け付けたリール回転停止操作の順序が特定の順序であることにより、特有の図柄組合せ（例えば、再遊技役５〜８の対応図柄）が複数のリール上において停止表示可能に制御されることであり、前記回避報知演出とは、前記特有の役決定結果が役決定手段により選出された場合に、前記特定の順序とは異なる別の順序を報知する演出（例えば、特殊押し順ナビ演出）である、とすることができる。
【手続補正５】
【補正対象書類名】明細書
【補正対象項目名】００２５
【補正方法】変更
【補正の内容】
【００２５】
また、上記スロットマシンにおいて、前記特定遊技状態における、前記特有の役決定結果が役決定手段により選出されるという第１の特有状態の発生、または前記特有の図柄組合せが複数のリール上に停止表示されるという第２の特有状態の発生を契機として、遊技者に対する特典付与の選択を行う特典付与選択手段を備え、該特典付与選択手段は、第１の復帰状態継続期間においては、第１の特有状態または第２の特有状態が発生した場合であっても遊技者に特典を付与しないように構成することができる。
【手続補正６】
【補正対象書類名】明細書
【補正対象項目名】００２７
【補正方法】変更
【補正の内容】
【００２７】
また、上記スロットマシンにおいて、所定のアシスト演出開始条件が充足された場合（例えば、ナビ権が獲得された状況下で、実行遊技回数が規定遊技回数に達した場合）には、遊技者にとって有用となる情報を報知するアシスト演出（例えば、通常の押し順ナビ演出）が演出実行手段により実行されるように構成する一方で、役決定確率が設定変更された際には、設定変更前における所定のアシスト演出開始条件の充足状態に関する情報がクリアされるように構成することができる。
【手続補正７】
【補正対象書類名】明細書
【補正対象項目名】００２９
【補正方法】変更
【補正の内容】
【００２９】
また、上記スロットマシンにおいて、第１の復帰状態継続期間において所定のアシスト演出開始条件が部分的または全体的に充足された場合には、別途第１のアシスト演出開始条件が設定され、該別途第１のアシスト演出開始条件が充足されるまでは、アシスト演出が開始されないように構成することができる。
【手続補正８】
【補正対象書類名】明細書
【補正対象項目名】００３１
【補正方法】変更
【補正の内容】
【００３１】
また、上記スロットマシンにおいて、第１の復帰状態継続期間において所定のアシスト演出開始条件が部分的または全体的に充足された場合に、規定遊技回数を設定する規定遊技回数設定手段と、規定遊技回数が設定され、かつ特定遊技状態から通常遊技状態に移行された場合に、該通常遊技状態に移行後に行われた所定の対象遊技（例えば、全ての遊技）の回数を実行遊技回数としてカウントする実行遊技回数計数手段と、を備え、前記別途第１のアシスト演出開始条件とは、実行遊技回数計数手段によりカウントされた実行遊技回数が規定遊技回数に達することとすることができる。
【手続補正９】
【補正対象書類名】明細書
【補正対象項目名】００３４
【補正方法】変更
【補正の内容】
【００３４】
また、上記スロットマシンにおいて、規定遊技回数が設定されたことを契機として、該規定遊技回数の設定及び実行遊技回数のカウント開始を示唆する前兆演出が演出実行手段により行われようにし、該前兆演出は、第１の復帰状態継続期間において行われた所定の対象遊技の回数も実行遊技回数としてカウントされていることを示唆する内容とすることができる。
【手続補正１０】
【補正対象書類名】明細書
【補正対象項目名】００３６
【補正方法】変更
【補正の内容】
【００３６】
また、本発明に係るスロットマシンにおいて、特定遊技状態の他に、特定種類の遊技役の役決定確率が通常遊技状態よりも高く設定された有利遊技状態を設け、設定変更後に有利遊技状態に復帰しかつ通常遊技状態には移行していない第２の復帰状態継続期間において所定のアシスト演出開始条件が部分的または全体的に充足された場合には、別途第２のアシスト演出開始条件が設定され、該別途第２のアシスト演出開始条件が充足されるまでは、アシスト演出が開始されないように構成することができる。
【手続補正１１】
【補正対象書類名】明細書
【補正対象項目名】００３８
【補正方法】変更
【補正の内容】
【００３８】
また、上記スロットマシンにおいて、前記第１の復帰状態継続期間または前記第２の復帰状態継続期間においては、所定のアシスト演出開始条件が部分的または全体的に充足される確率を低く設定してもよい。
【手続補正１２】
【補正対象書類名】明細書
【補正対象項目名】００４０
【補正方法】変更
【補正の内容】
【００４０】
また、上記スロットマシンにおいて、遊技状態の情報が格納される遊技状態情報記憶領域を含む複数の情報記憶領域が設けられたメイン情報記憶手段を備えており、設定変更前に複数の情報記憶領域に格納された各情報のうち遊技状態の情報を含む所定の情報（例えば、特別役決定情報記憶領域１０７１に格納された特別役に係る役決定結果の情報、及び遊技状態情報記憶領域１０７４に格納された遊技状態の情報）は、設定変更の際に実行される電力供給のための主制御電源投入処理を正常に行うことが可能な場合には設定変更の際にも保持され、正常に行うことが不可能な場合には設定変更の際にクリアされるように構成されている、とすることができる。